【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
主走査方向に往復移動するキャリッジ上に装填され、ノズル開口からインク滴を吐出するインクジェット式記録ヘッドと、前記記録ヘッドに対してインクを供給するために前記キャリッジ上に着脱可能に装着された複数個のインクカートリッジを備えたインクジェット式記録装置であって、
前記キャリッジ上に装着された各インクカートリッジのインク消費状態をそれぞれ検出するインク消費量検出手段と、前記インク消費量検出手段によりいずれかのインクカートリッジにおけるインクの消費量が所定値以上に進行したことが確認された場合において、インクの消費量が所定値以上に進行した前記カートリッジを、前記主走査方向の予め定められた所定の位置に移動させて停止させるキャリッジ移動制御手段とを具備し、前記所定の位置はインクカートリッジ毎に異なることを特徴とするインクジェット式記録装置。
【請求項２】
前記所定の位置は、前記キャリッジの移動経路の一部に形成されたインクカートリッジ交換用開口部以外の位置である請求項１に記載のインクジェット式記録装置。
【請求項３】
主走査方向に往復移動するキャリッジ上に装填され、ノズル開口からインク滴を吐出するインクジェット式記録ヘッドと、前記記録ヘッドに対してインクを供給するために前記キャリッジ上に着脱可能に装着された複数個のインクカートリッジを備えたインクジェット式記録装置であって、
前記キャリッジ上に装着された各インクカートリッジのインク消費状態をそれぞれ検出するインク消費量検出手段と、前記インク消費量検出手段によりいずれかのインクカートリッジにおけるインクの消費量が所定値以上に進行したことが確認された場合において、インクの消費量が所定値以上に進行した前記カートリッジを、前記主走査方向の予め定められた所定の位置に移動させて停止させるキャリッジ移動制御手段と、どのインクカートリッジが所定の位置に移動したかを示す認識手段とを具備したインクジェット式記録装置。
【請求項４】
前記認識手段は、前記インクジェット式記録装置の本体を収納する外郭ケースの一部に前記所定の位置を示すマークである請求項３に記載のインクジェット式記録装置。
【請求項５】
前記マークは１箇所である請求項４に記載のインクジェット式記録装置。
【請求項６】
前記外郭ケースの一部に、インク消費量が所定以上に進行した場合に視覚的に情報を報知する報知手段を具備し、
前記報知手段の数はインクカートリッジの数より少ないことを特徴とする請求項１ないし請求項５のいずれかに記載のインクジェット式記録装置。
【請求項７】
前記報知手段により、インク消費量が多くインクカートリッジ交換要の場合と、インクカートリッジ交換要の場合よりインク消費量が少ないインクローの場合と、前記インクローの場合よりさらにインク消費量が少ない場合を報知する請求項６に記載のインクジェット式記録装置。
【請求項８】
インクの消費量が所定値以上に進行したインクカートリッジが複数個存在する場合においては、前記キャリッジ移動制御手段は操作指令に基づいてインクの消費量が所定値以上に進行した各インクカートリッジを、前記主走査方向の予め定められた所定の位置に順次移動させて停止させる操作を繰り返して実行するようになされた請求項１ないし請求項７のいずれかに記載のインクジェット式記録装置。
【請求項９】
前記キャリッジ移動制御手段は操作指令に基づいて、インク消費量が所定値以上に進行したインクカートリッジを、前記主走査方向の予め定められた所定の位置に移動させて停止させる操作を実行すると共に、さらなる操作指令に基づいて、インクカートリッジをキャリッジの移動経路の一部に形成された交換用開口部に移動させる操作を実行するようになされた請求項１ないし請求項８のいずれかに記載のインクジェット式記録装置。
【請求項１０】
前記キャリッジ移動制御手段は、操作指令に基づいて前記インク消費量検出手段における各カートリッジのインク消費量の情報を参照し、いずれのカートリッジもインクの消費量が所定値に達していない場合には、キャリッジに装着されたインクカートリッジをキャリッジの移動経路の一部に形成された交換用開口部に移動させる操作を実行するようになされた請求項１ないし請求項９のいずれかに記載のインクジェット式記録装置。
【請求項１１】
主走査方向に往復移動するキャリッジ上に装填され、ノズル開口からインク滴を吐出するインクジェット式記録ヘッドと、前記記録ヘッドに対してインクを供給するために前記キャリッジ上に着脱可能に装着された複数個のインクカートリッジを備えたインクジェット式記録装置におけるカートリッジの交換制御方法であって、
前記キャリッジ上に装着された各インクカートリッジのインク消費状態をそれぞれ検出するインク消費量検出ステップと、
前記インク消費量検出ステップにおいて、インクの消費量が所定値以上に進行したインクカートリッジを検出した場合には、当該カートリッジを前記主走査方向の予め定められて配置された認識手段の位置に移動させて停止させるキャリッジ移動ステップと、
が順次実行されるようになされたインクジェット式記録装置におけるインクカートリッジの交換制御方法。
【手続補正２】
【補正対象書類名】明細書
【補正対象項目名】０００９
【補正方法】変更
【補正の内容】
【０００９】
【課題を解決するための手段】
前記した目的を達成するためになされた本発明にかかるインクジェット式記録装置は、主走査方向に往復移動するキャリッジ上に装填され、ノズル開口からインク滴を吐出するインクジェット式記録ヘッドと、前記記録ヘッドに対してインクを供給するために前記キャリッジ上に着脱可能に装着された複数個のインクカートリッジを備えたインクジェット式記録装置であって、前記キャリッジ上に装着された各インクカートリッジのインク消費状態をそれぞれ検出するインク消費量検出手段と、前記インク消費量検出手段によりいずれかのインクカートリッジにおけるインクの消費量が所定値以上に進行したことが確認された場合において、インクの消費量が所定値以上に進行した前記カートリッジを、前記主走査方向の予め定められた所定の位置に移動させて停止させるキャリッジ移動制御手段とを具備し、前記所定の位置はインクカートリッジ毎に異なる点に特徴を有する。この場合、前記所定の位置は、前記キャリッジの移動経路の一部に形成されたインクカートリッジ交換用開口部以外の位置に設定される。
【手続補正３】
【補正対象書類名】明細書
【補正対象項目名】００１０
【補正方法】変更
【補正の内容】
【００１０】
一方、前記した目的を達成するためになされた本発明にかかるインクジェット式記録装置は、主走査方向に往復移動するキャリッジ上に装填され、ノズル開口からインク滴を吐出するインクジェット式記録ヘッドと、前記記録ヘッドに対してインクを供給するために前記キャリッジ上に着脱可能に装着された複数個のインクカートリッジを備えたインクジェット式記録装置であって、前記キャリッジ上に装着された各インクカートリッジのインク消費状態をそれぞれ検出するインク消費量検出手段と、前記インク消費量検出手段によりいずれかのインクカートリッジにおけるインクの消費量が所定値以上に進行したことが確認された場合において、インクの消費量が所定値以上に進行した前記カートリッジを、前記主走査方向の予め定められた所定の位置に移動させて停止させるキャリッジ移動制御手段と、どのインクカートリッジが所定の位置に移動したかを示す認識手段とを具備した点に特徴を有する。この場合、前記認識手段は、好ましくは前記インクジェット式記録装置の本体を収納する外郭ケースの一部に形成され、前記所定の位置を示すマークにより構成される。そして、前記マークは外郭ケースの１箇所に形成される。
【手続補正４】
【補正対象書類名】明細書
【補正対象項目名】００１１
【補正方法】変更
【補正の内容】
【００１１】
一方、好ましい実施の形態においては、前記外郭ケースの一部に、インク消費量が所定以上に進行した場合に視覚的に情報を報知する報知手段を具備し、前記報知手段の数はインクカートリッジの数より少なく構成される。そして、前記報知手段により、インク消費量が多くインクカートリッジ交換要の場合と、インクカートリッジ交換要の場合よりインク消費量が少ないインクローの場合と、前記インクローの場合よりさらにインク消費量が少ない場合を報知するようになされる。
【手続補正５】
【補正対象書類名】明細書
【補正対象項目名】００１２
【補正方法】変更
【補正の内容】
【００１２】
また、インクの消費量が所定値以上に進行したインクカートリッジが複数個存在する場合においては、前記キャリッジ移動制御手段は操作指令に基づいてインクの消費量が所定値以上に進行した各インクカートリッジを、前記主走査方向の予め定められた所定の位置に順次移動させて停止させる操作を繰り返して実行するようになされる。
【手続補正６】
【補正対象書類名】明細書
【補正対象項目名】００１３
【補正方法】変更
【補正の内容】
【００１３】
さらに、前記キャリッジ移動制御手段は操作指令に基づいて、インク消費量が所定値以上に進行したインクカートリッジを、前記主走査方向の予め定められた所定の位置に移動させて停止させる操作を実行すると共に、さらなる操作指令に基づいて、インクカートリッジをキャリッジの移動経路の一部に形成された交換用開口部に移動させる操作を実行するようになされる。
【手続補正７】
【補正対象書類名】明細書
【補正対象項目名】００１４
【補正方法】変更
【補正の内容】
【００１４】
そして、前記キャリッジ移動制御手段は、操作指令に基づいて前記インク消費量検出手段における各カートリッジのインク消費量の情報を参照し、いずれのカートリッジもインクの消費量が所定値に達していない場合には、キャリッジに装着されたインクカートリッジをキャリッジの移動経路の一部に形成された交換用開口部に移動させる操作を実行するようになされる。
【手続補正８】
【補正対象書類名】明細書
【補正対象項目名】００１５
【補正方法】変更
【補正の内容】
【００１５】
一方、この発明にかかるカートリッジの交換制御方法は、主走査方向に往復移動するキャリッジ上に装填され、ノズル開口からインク滴を吐出するインクジェット式記録ヘッドと、前記記録ヘッドに対してインクを供給するために前記キャリッジ上に着脱可能に装着された複数個のインクカートリッジを備えたインクジェット式記録装置におけるカートリッジの交換制御方法であって、前記キャリッジ上に装着された各インクカートリッジのインク消費状態をそれぞれ検出するインク消費量検出ステップと、前記インク消費量検出ステップにおいて、インクの消費量が所定値以上に進行したインクカートリッジを検出した場合には、当該カートリッジを前記主走査方向の予め定められて配置された認識手段の位置に移動させて停止させるキャリッジ移動ステップとが順次実行されるようになされる。
【手続補正９】
【補正対象書類名】明細書
【補正対象項目名】００１６
【補正方法】削除
【補正の内容】
【手続補正１０】
【補正対象書類名】明細書
【補正対象項目名】００３０
【補正方法】変更
【補正の内容】
【００３０】
また、前記した外郭ケース２１の上面には、楕円形の窓孔２２に沿った長手方向の一部に、認識手段としてのチェックマーク２４が形成されており、インクカートリッジがインクローまたはインクエンド状態となった場合において、後述するキャリッジの移動操作によって、当該カートリッジが前記チェックマーク２４の配置位置に移動して停止されるようになされる。これにより、ユーザは、いずれのインクカートリッジが、インクローまたはインクエンド状態となっているかを把握することができる。